(57)【要約】【課題】サッシの左右両側に均等なチリの確保が容易にでき、サッシの固定を高能率的に行うことができるサッシ取付方法及びチリ出しガイドを提供する。【解決手段】サッシＳＣの少なくとも左右の縦枠２Ｃに、各縦枠からサッシ中心と反対方向に突出する弾性押圧片を有するチリ出しガイドを設け、サッシを躯体開口に嵌合する際のチリ出しガイドの弾性押圧片の弾性変形及び復元によりサッシを躯体に仮固定し、その後、サッシを躯体に本固定するようにした。チリ出しガイドは、屋内外方向の両端部に同一方向に屈曲された脚と、屋内外方向の中央に前記脚と反対方向に突出する弾性押圧片とを有し、前記脚をサッシの縦枠に係合させて取付けられる。【選択図】　　　図１
2004076437.tif 000002
【特許請求の範囲】
【請求項１】
サッシの少なくとも左右の縦枠に、各縦枠からサッシ中心と反対方向に突出する弾性押圧片を有するチリ出しガイドを設け、前記サッシを躯体開口に嵌合する際の前記チリ出しガイドの弾性押圧片の弾性変形及び復元により前記サッシを前記躯体に仮固定し、その後、前記サッシを前記躯体に本固定することを特徴とするサッシ取付方法。
【請求項２】
屋内外方向の両端部に同一方向に屈曲された脚を有し、屋内外方向の中央に前記脚と反対方向に突出する弾性押圧片を有し、前記脚をサッシの縦枠に係合させて取付けられることを特徴とする請求項１に記載のサッシ取付方法に用いられるチリ出しガイド。
【請求項３】
少なくとも一方の脚には、他方の脚と反対方向に突出する爪が形成され、その爪のサッシ縦枠に対する食い込み力によりサッシ縦枠に固定されることを特徴とする請求項２に記載のチリ出しガイド。
【請求項４】
全体が板バネで作られ、弾性押圧片はその一部を切り起こして形成されていることを特徴とする請求項２又は３に記載のチリ出しガイド。
【発明の詳細な説明】
【０００１】
【発明の属する技術分野】
本発明は、サッシの建物躯体に対する取付け方法に関する。
【０００２】
【従来の技術】
サッシを建物躯体に取付けるには、矩形に枠組みされたサッシを躯体開口の中に挿入し、そのサッシを躯体にねじ止めなどして固定される。
【０００３】
【発明が解決しようとする課題】
従って、サッシの外周面と躯体開口の内周面との間には、サッシの躯体開口への挿入を可能容易にするための隙間（チリ）が存在することが必要である。
反面、そのチリが存在するために、従来の取付方法では、躯体開口に挿入したサッシの固定に手間暇及び多くの固定部材を必要として、取付作業が繁雑になり、しかも、サッシの取付位置が建物開口の中心に関して左右いずれかの方向に偏り易かった。
【０００４】
図４及び図５に基づいて、その従来方法の難点を具体的に説明する。図４は、躯体が木造である場合の例を示す一部の横断面図である。１Ａは躯体を構成する左の柱、２ＡはサッシＳＡの左の縦枠であり、ＧＡは、サッシを躯体開口３に嵌合する時のチリであり、１０ｍｍ前後はある。従って、サッシＳＡの躯体開口３への挿入は容易にできる利点がある。しかし、チリ寸法が大きいため、挿入したサッシの安定性が低いので、サッシを躯体に本固定する前に、左右のチリにほぼ同寸法の木製詰物４を縦方向の数箇所に介在させてサッシを仮固定し、その後に、縦枠２Ａから木ねじ５ａ，５ｂなどを柱１Ａにねじ込んで本固定していた。
しかしながら、木製詰物４の厚み寸法とチリの寸法ＧＡを一致させることは困難であるため、サッシＳＡを躯体開口３の中央に固定することは困難であり、従って、縦枠の外側のねじ５ｂのねじ込み位置が不適切になる恐れがあった。また、現場での木製詰物４の詰め込みにより、左右に均等のチリを確保することは、手数がかかり、施工に時間がかかるという問題がある。
【０００５】
図５は、躯体が鉄骨造である場合の例を示す一部の横断面図である。１Ｂは躯体を構成する左の鉄骨柱であり、これに予めサッシ固定部材６がねじ止めされている。そして、サッシＳＢを取付けるときは、縦枠２Ｂを躯体開口３に挿入して、その屋内側と屋外側に設けられている取付縁７，８をそれぞれ固定部材６の屋内側端部と屋外側端部に当接し、それぞれ屋内側からと屋外側からねじ９ａ，９ｂをねじ込んで、取付縁７，８と固定部材６を締結する。この場合、サッシの縦枠２Ｂと柱の対向面との間のチリは、図５にＧＢで示された数ｍｍ程度に過ぎないので、サッシの躯体開口への挿入が容易にできない。また、チリ寸法が小さいといっても、サッシＳＢは固定されるまでは不安定であるので、作業者がサッシを支持した状態で、屋内側と屋外側という相反する位置で相反する方向にねじ止め作業を行う必要がある。従って、固定作業前の左右両側のチリを均等に確保することは困難であり、サッシ取付け施工能率が悪いという問題がある。
【０００６】
本発明は、上記の点に着目してなされたものであり、サッシ取付の際に左右両側に均等なチリの確保が容易にできて、サッシの本固定を高能率的に行うことができるサッシ取付方法を提供することを第１の目的とする。
【０００７】
また、他の目的は、そのサッシ取付方法に適用するのに好適なチリ出しガイドを提供することにある。
【０００８】
【課題を解決するための手段】
上記第１の目的を達成するため、本発明方法は、サッシの少なくとも左右の縦枠に、各縦枠からサッシ中心と反対方向に突出する弾性押圧片を有するチリ出しガイドを設け、前記サッシを躯体開口に嵌合する際の前記チリ出しガイドの弾性押圧片の弾性変形及び復元により前記サッシを前記躯体に仮固定し、その後、前記サッシを前記躯体に本固定することを特徴としている。
上記構成により、サッシを躯体開口に嵌合する時は、チリ出しガイドの弾性押圧片が弾性変形するので嵌合が容易にでき、所定位置まで嵌合し終わると、弾性押圧片が復元して、躯体の対向面を押圧するので、摩擦係止により仮固定される。従って、サッシを安定した状態で本固定することができるから、施工能率が向上する。
【０００９】
上記第２の目的を達成するため、本発明によるチリ出しガイドは、屋内外方向の両端部に同一方向に屈曲された脚を有し、屋内外方向の中央に前記脚と反対方向に突出する弾性押圧片を有し、前記脚をサッシの縦枠に係合させて取付けられることを特徴としている。
上記構成により、チリ出しガイドは、脚をサッシの縦枠に順次弾性係合することにより、容易に取付けることができる。
【００１０】
【発明の実施の形態】
次に、本発明方法及びチリ出しガイドの実施の形態を添付図面の図１ないし図３を参照して説明する。
図１は躯体が鉄骨造である場合の図５に対応する横断面図、図２はチリ出しガイドの展開図、図３はチリ出しガイドの縦枠に対する取付け説明図である。
【００１１】
図１において、１Ｃは躯体を構成する右の鉄骨柱であり、２ＣはサッシＳＣの右縦枠である。この縦枠２Ｃには、その主壁１０の背面、すなわち、サッシの中心と反対側にチリ出しガイド２０が取付けられている。
【００１２】
チリ出しガイド２０は、図２に示すように、ほぼ矩形の板バネ材で作られ、その屋内外方向の両端部には同じ方向に屈曲された脚２１，２２を有し、屋内外方向の中央部に脚２１，２２と反対方向に突出する弾性押圧片２３が設けられている。弾性押圧片２３は、後述されるように、サッシＳＣが左右の柱の対向面に沿って躯体開口の内側方向に摺動して嵌合されるので、その摺動摩擦を小さくするため、「へ」字形に屈曲又は湾曲されている。
また、脚２１，２２は、その間隔がサッシの縦枠２Ｃの主壁１０の屋内側部分の背面に屋内側と屋外側に隔てた位置に突設されている脚１１，１２の間隔とほぼ等しくされている。そして、脚２１，２２の少なくとも一方には、他方と反対面にその脚の先端から遠ざかる方向に先端を有する爪２４が複数個形成されている。図示の例では、爪２４はチリ出しガイド２０の屋内側の脚２１に設けられている。
【００１３】
こうして、チリ出しガイド２０は、図３に示すように、爪を有しない屋外側の脚２２を先に縦枠２Ｃの屋外側の脚１２に係合し、次いで、爪を有する屋内側の脚２１を縦枠の屋内側の脚１１の屋外側面に向けて強く押し込んで、チリ出しガイド２０の弾性復元力により爪２４の鋭利な先端を屋内側の脚１１の屋外側面に刺し込ませるようにして、摩擦係止により縦枠２Ｃに固定される。そして、取付けられた状態で、チリ出しガイド２０の弾性押圧片２３は、縦枠の背面側に突出する。このようなチリ出しガイド２０は、サッシＳＣの取付け前に、左右の縦枠の背面に、縦枠の高さ方向に均一な間隔をもって複数個、取付けられる。
【００１４】
チリ出しガイド２０を予め取付けたサッシＳＣを躯体に取付ける時は、そのサッシの屋内側部分を躯体開口３に屋外側から挿入する際に、チリ出しガイド２０の弾性押圧片２３が柱１Ｃの対向面に当接され弾性変形されながら、その柱の対向面に沿って屋内方向に摺動する。サッシＳＣが、縦枠２Ｃの取付縁１３が柱１Ｃの屋外側面に当接する所定位置まで挿入されると、縦枠の取付縁１３の屋内側面に予め貼着されていたシート状の水密部材３２ａが柱１Ｃの屋外側面に密着される。そして、取付縁１３が柱１Ｃに当接してサッシのそれ以上の屋内方向の移動が阻止されると、チリ出しガイド２０の弾性押圧片２３の復元力によりサッシの左右の縦枠は左右の柱からＧＣの等距離を離間された位置に保持される。すなわち、チリ出しガイド２０によりサッシの左右縦枠と左右の柱の間に均等なチリＧＣが確保され、かつ、サッシＳＣが、躯体に仮固定される。
【００１５】
このようにサッシが仮固定により安定している状態で、両縦枠の屋外側に額縁３０の一つの構成部材である内周枠３０ａが、好ましくは取付縁１３との間に水密部材３２ｂを介在させて、添設され、その内周枠に貫通したドリリングボルト３１を取付縁１３及び柱１Ｃにねじ込むことにより、縦枠２Ｃが本格的に固定（本固定）される。この本固定に続き、内周枠３０Ａに額縁３０のもう一つの構成部材である外周枠３０ｂを押縁形式で、すなわち、内周枠３０ａと外周枠３０ｂのそれぞれの両端部に形成してある係止縁同士を係止する態様で係合して、額縁３０が完成されている。額縁を二分割構成とすることにより、縦枠２Ｃのドリリングボルト３１による本固定作業がし易くされ、かつ、本固定後のドリリングボルト３１を隠蔽して、防犯性を高めている。
【００１６】
なお、図１は、サッシＳＣが断熱サッシの場合の例であるので、縦枠２Ｃが、屋外側の金属枠材２ｍと屋内側の樹脂枠材２ｐとを既知の接続構造により結合されている状態で示されており、また、障子Ｄ２も屋外側の金属框ｄｍと屋内側の樹脂框ｄｐとを既知の接続構造により結合されている状態で示されているが、本発明は、断熱サッシ、通常サッシを問わず、木造躯体又は金属躯体のいずれに取付ける場合にも同様に適用可能である。また、サッシＳＣは、障子の開閉形式（引き違い、片引き、観音開き）はいずれであってもよく、嵌め殺しサッシでもよい。
【００１７】
図示のチリ出しガイド２０は、単一の板バネ材の両端部を同一方向に屈曲して脚１１，１２を形成し、板バネ材の中央部の一部を切り起こすことにより弾性押圧片２３を形成すると、簡単に製作することができ、製造コストを可及的に低くすることができるので、好ましい実施の形態である。しかし、本発明は、チリ出しガイド２０の材質、製造方法、形状・構造が上記の例に限られない。例えば、チリ出しガイドを樹脂製としても良い。爪２４は屋内側の脚１１に凹溝又は凸部を設けて、これに係止させても良い。さらに、弾性押圧片は、コイルバネの先端に「へ」字形の押圧板又は球状の押圧体を固着した構造のものも使用可能である。
【００１８】
【発明の効果】
上述のように、本発明のサッシ取付方法によれば、サッシの少なくとも左右の縦枠に、各縦枠からサッシ中心と反対方向に突出する弾性押圧片を有するチリ出しガイドを設け、そのサッシを躯体開口に嵌合する際に、前記チリ出しガイドの弾性押圧片の弾性変形及び復元により前記サッシを前記躯体に仮固定し、その後、前記サッシを前記躯体に本固定するようにしたので、サッシ取付の際にサッシの躯体開口への挿入が容易にできるとともに、左右両側に簡単に均等なチリを確保でき、サッシの本固定を高能率的に行うことができる。
【００１９】
また、本発明のチリ出しガイドは、屋内外方向の両端部に同一方向に屈曲された脚を有し、屋内外方向の中央に前記脚と反対方向に突出する弾性押圧片を有して、前記脚をサッシの縦枠に係合させて取付けられるので、サッシ縦枠に容易に取付けることができ、サッシ縦枠に複数個のチリ出しガイドを間隔をもって配設するだけで、チリ確保の困難性なしにサッシを躯体開口の中心に安定して仮固定し、その後の本固定をする取付方法を実施することができる。
【図面の簡単な説明】
【図１】躯体が鉄骨造である場合の図５に対応する横断面図。
【図２】チリ出しガイドの展開図。
【図３】チリ出しガイドの縦枠に対する取付け説明図。
【図４】躯体が木造である場合の例を示す一部の横断面図。
【図５】躯体が鉄骨造である場合の例を示す一部の横断面図。
【符号の説明】
１Ｃ　　　柱（躯体）
ＳＣ　　　サッシ
２Ｃ　　　縦枠
１０　　　主壁
１１，１２　脚
２０　　　チリ出しガイド
２１，２２　　脚
２３　　　弾性押圧片
２４　　　爪
４０　　　室内化粧材
【図１】
2004076437.tif 000003
【図２】
2004076437.tif 000004
【図３】
2004076437.tif 000005
【図４】
2004076437.tif 000006
【図５】
2004076437.tif 000007